(57)【要約】      （修正有）【課題】ギャープーラーの、対の挾持アームに対するブレ等を確実に防止し、確実かつ簡易にプーリー抜きを可能とするプーリー抜き工具を提供する。【解決手段】上方に頭部を、下方に押圧支持部を設けた螺子棒の螺子軸に噛合する支持部と、支持部の左右腕片の中央部に一端を枢支した対のリンクと、対のリンクの他端に枢支した爪付き挾持アームとで構成する。支持部の左右腕片の端部にガイド片を設け、また、端部と、挾持アームの内側との間に係止手段を設ける。【選択図】図１
0003160459.tif 000002
【実用新案登録請求の範囲】
【請求項１】
螺子軸の上方に頭部を、その下方に押圧支持部を、それぞれ設けた螺子棒と、この螺子棒の螺子軸に噛合される支持部と、この支持部の左右腕片の中央部に、それぞれ一端を枢支した対のリンクと、この対のリンクの他端に、それぞれ枢支した挾持アームと、この挾持アームの少なくとも一方の自由端に、それぞれ設けた爪とで構成したプーリー抜き工具であって、
この支持部の左右腕片の端部に、この端部より延設したガイド片をそれぞれ設け、また、前記端部と、前記挾持アームの内側との間に係止手段を設ける構成としたプーリー抜き工具。
【請求項２】
請求項１に記載のプーリー抜き工具であって、
前記端部と、前記挾持アームの内側端面との間に、凹凸関係、嵌合関係、又は噛合関係でなる係止手段を設ける構成としたプーリー抜き工具。
【請求項３】
請求項１に記載のプーリー抜き工具であって、
前記ガイド片は、前記支持部の左右腕片の端部に、後付けで設ける構成としたプーリー抜き工具。
【考案の詳細な説明】
【技術分野】
【０００１】
本考案は、プーリー抜き工具に関する。
【背景技術】
【０００２】
従来のプーリー抜き工具は、
その上方に頭部を、下方に押圧支持部を有する螺子軸で構成した螺子棒と、螺子棒の螺子軸に噛合される支持部と、支持部の左右腕片の中央部に、それぞれ一端を枢支した対のリンクと、この対のリンクの他端に、それぞれ枢支した挾持アームと、挾持アームの自由端に、それぞれ設けた係止爪とでなる構成である。この構成では、挾持アームを対のリンクで支持される構造であるので、この挾持アームが、支持部の左右腕片の端部より外れる虞があって、プーリー抜き工具としの役割を果たさないことがある。この問題を解決するための構成を先行文献より検討する。
【０００３】
文献（１）は、実用新案登録第３００９３２８号の「ギャープーラー」である。この考案は、二枚の板材でアームを構成し、この二枚の板材間で、かつこの板材間の端部にハンガーを枢支するとともに、このハンガーには、二枚の板材に、一方を枢支したプレースの他方を枢支する構成である。しかし、この考案は、二枚の板材でアームを構成することから、重くなり、取扱いに困ることが考えられる。また、二枚の板材の外側に枢支したブレースの枢支位置が外側で、一枚のハンガーの枢支したブレースの枢支位置が内側となって、その枢支位置が、偏倚することで、例えば、力の伝達に問題を残すこと、力の働きにズレが生じ、確実な動作と、挾持力が作用しないこと、耐久性に改良の余地があること、等の問題がある。
【０００４】
また、文献（２）は、実開昭５４−４９６９９号の「ギャープーラー」である。この考案は、螺子軸に設けた支持部と、この支持部の両端に設けた対のリンクと、このリンクに枢支した対の挾持アーム（係合アーム）とで構成し、この支持部の端部にガイド溝を形成し、このガイド溝に対の挾持アームの内側端部を挿入、支持することで、この対の挾持アームの動きギャープーリーの引抜き時のブレ防止（位置ズレと、ブレ防止、又は外れ防止）を図り、このギャープーリーを確実に引抜くようにした構造である。しかし、この考案は、ガイド溝に対の挾持アームの内側端部を挿入、支持する構造であり、この対の挾持アームに対するブレ等を確実に防止するには、構造的に問題がある。
【０００５】
さらに、文献（３）は、実開平５−８５５６７号の「ギアプーラ」である。この考案は、螺子軸に設けた支持部（保持腕基体）と、この支持部の両端に設けた対のリンクと、このリンクに枢支した対の挾持アーム（挾持腕体）とで構成し、この支持部の端部に係合凹部を形成し、この係合凹部に対の挾持アームの内側端部を挿入、支持することで、この対の挾持アームの動きギャープーリーの引抜き時のブレ防止（位置ズレと、ブレ等の防止）を図り、このギャープーリーを確実に引抜くようにした構造である。しかし、この考案は、係合凹部に対の挾持アームの内側端部を挿入、支持する構造であり、この対の挾持アームに対するブレ等を確実に防止するには、構造的に問題がある。
【０００６】
【特許文献１】実用新案登録第３００９３２８号
【特許文献２】実開昭５４−４９６９９号
【特許文献３】実開平５−８５５６７号
【考案の概要】
【考案が解決しようとする課題】
【０００７】
以上の文献（１）〜（３）は、総称すると、ギャープーラーの対の挾持アームに対するブレ等を確実に防止するために、螺子軸に設けた支持部に一方の係合手段を、また、この支持部に係止される対の挾持アームに他方の係合手段を、それぞれ設け、この一方・他方の係合手段の係合を介して、前記ブレ等を確実に防止することを意図する構造である。
【０００８】
しかし、この一方・他方の係合手段の係合で、対の挾持アームのブレ等を確実に防止するには構造的に問題がある。例えば、文献（１）では、「二枚の板材間にハンガーを枢支する構造であり」、また、文献（２）では、「ガイド溝に対の挾持アームの内側端部を挿入、支持する構造であり」、さらに、文献（３）でき、「係合凹部に対の挾持アームの内側端部を挿入、支持する構造」である。この支持部と挾持アームとの係合関係のみでは、この挾持アームに掛かる荷重に耐えるには、構造的に問題がある。
【０００９】
上記に鑑み、本考案は、次のことを意図する。
【００１０】
［イ］  挾持アームに対する荷重を、支持部に設けた二つの手段で担持し、この挾持アームの位置ズレと、ブレ防止（ぐら付き防止）、又は外れ防止（以下、ブレ防止とする）を図る。
【００１１】
［ロ］  挾持アームのブレ防止を達成し、確実かつ簡易にプーリー抜き（その他の螺着冶具を含む）を可能とする。
【００１２】
［ハ］  挾持アームのブレを確実に防止することで、プーリー抜きに力を要さず、錆付きの状態のプーリー抜きを可能とする。
【００１３】
［ニ］  挾持アームのブレを確実に防止することで、使用時の怪我防止と、このプーリー抜きの耐久性の向上（挾持アームとリンク・支持部等との連結箇所、）とを図る。
【００１４】
［ホ］  前記［イ］〜［ニ］の目的達成に最適な挾持アームと支持部との連繋の一つの手段を提供する。
【００１５】
［ヘ］  前記［イ］〜［ニ］の目的達成に最適な挾持アームと支持部との連繋の他の一つの手段を提供する。
【課題を解決するための手段】
【００１６】
請求項１の考案は、前記［イ］〜［ニ］の目的を達成することにある。
【００１７】
請求項１は、螺子軸の上方に頭部を、その下方に押圧支持部を、それぞれ設けた螺子棒と、この螺子棒の螺子軸に噛合される支持部と、この支持部の左右腕片の中央部に、それぞれ一端を枢支した対のリンクと、この対のリンクの他端に、それぞれ枢支した挾持アームと、この挾持アームの少なくとも一方の自由端に、それぞれ設けた爪とで構成したプーリー抜き工具であって、
この支持部の左右腕片の端部に、この端部より延設したガイド片をそれぞれ設け、また、前記端部と、前記挾持アームの内側との間に係止手段を設ける構成としたプーリー抜き工具である。
【００１８】
請求項２の考案は、前記［イ］〜［ホ］の目的を達成することにある。
【００１９】
請求項２は、請求項１に記載のプーリー抜き工具であって、
前記端部と、前記挾持アームの内側端面との間に、凹凸関係、嵌合関係、又は噛合関係でなる係止手段を設ける構成としたプーリー抜き工具である。
【００２０】
請求項３の考案は、前記［イ］〜［ニ］、［へ］の目的を達成することにある。
【００２１】
請求項３は、請求項１に記載のプーリー抜き工具であって、
前記ガイド片は、前記支持部の左右腕片の端部に、後付けで設ける構成としたプーリー抜き工具である。
【考案の効果】
【００２２】
請求項１の考案は、螺子軸の上方に頭部を、下方に押圧支持部を、それぞれ設けた螺子棒と、螺子棒の螺子軸に噛合される支持部と、支持部の左右腕片の中央部に、それぞれ一端を枢支した対のリンクと、対のリンクの他端に、それぞれ枢支した挾持アームと、挾持アームの少なくとも一方の自由端に、それぞれ設けた爪とで構成したプーリー抜き工具であって、
支持部の左右腕片の端部に、端部より延設したガイド片をそれぞれ設け、また、端部と、挾持アームの内側との間に係止手段を設ける構成としたプーリー抜き工具である。
【００２３】
従って、請求項１の考案は、前記［イ］〜［ニ］の特徴がある。
【００２４】
［イ］  挾持アームに対する荷重を、支持部に設けた二つの手段で担持し、この挾持アームの位置ズレと、ブレ防止（ぐら付き防止）、又は外れ防止（以下、ブレ防止とする）が図れる。
【００２５】
［ロ］  挾持アームのブレ防止を達成し、確実かつ簡易にプーリー抜き（その他の螺着冶具を含む）が可能となる。
【００２６】
［ハ］  挾持アームのブレを確実に防止することで、プーリー抜きに力を要さず、錆付きの状態のプーリー抜きも可能となる。
【００２７】
［ニ］  挾持アームのブレを確実に防止することで、使用時の怪我防止と、このプーリー抜きの耐久性の向上（挾持アームとリンク・支持部等との連結箇所、）が図れる。
【００２８】
請求項２は、請求項１に記載のプーリー抜き工具であって、
端部と、挾持アームの内側端面との間に、凹凸関係、嵌合関係、又は噛合関係でなる係止手段を設ける構成としたプーリー抜き工具である。
【００２９】
従って、請求項２の考案は、前記［イ］〜［ホ］の特徴がある。
【００３０】
［イ］〜［ホ］の目的を達成できる。
【００３１】
［ホ］  目的達成に最適な挾持アームと支持部との連繋の一つの手段を提供できる。
【００３２】
請求項２の考案は、請求項１に記載のプーリー抜き工具であって、
端部と、挾持アームの内側端面との間に、凹凸関係、嵌合関係、又は噛合関係でなる係止手段を設ける構成としたプーリー抜き工具である。
【００３３】
請求項３の考案は、請求項１に記載のプーリー抜き工具であって、
ガイド片は、支持部の左右腕片の端部に、後付けで設ける構成としたプーリー抜き工具である。
【００３４】
従って、請求項３の考案は、前記［イ］〜［ニ］と、［ヘ］の特徴がある。
【００３５】
［イ］〜［ニ］の目的を達成できる。
【００３６】
［ヘ］  目的達成に最適な挾持アームと支持部との連繋の他の一つの手段を提供できる。
【図面の簡単な説明】
【００３７】
【図１】本考案のプーリー抜き工具と、プーリーとの関係を示した斜視図
【図２】本考案のプーリー抜き工具を、プーリーに係止した状態の側面図
【図３−１】本考案のプーリー抜き工具において、支持部の左右腕片の端部と、挾持アームの内側端面との係止関係の第一実施例を示した拡大俯瞰で、その要部を欠截した平面図
【図３−２】図３−１の係止手段を拡大して示した平面図
【図４−１】本考案のプーリー抜き工具において、支持部の左右腕片の端部と、挾持アームの内側端面との係止関係の第二実施例を示した拡大俯瞰で、その要部を欠截した平面図
【図４−２】図４−１の係止手段を拡大して示した平面図
【考案を実施するための形態】
【００３８】
以下、本考案の各実施例を説明する。
【００３９】
最初に、共通する構造を説明すると、１はプーリー抜き工具の中心をなす螺子棒で、この螺子棒１の螺子１ａを有する螺子軸１００と、この螺子軸１００の上方１ｂに設けた螺杆構造の頭部１０１、並びにその下方１ｃに設けた押圧支持部１０２とで構成する。
【００４０】
そして、この螺子棒１の螺子軸１００には、この螺子１ａに噛合し、かつこの螺子棒１に十文字状に設けられる、その中心に螺子部２００を有する細長板状の支持部２が噛合される。この支持部２は、この支持部２に設けた螺子１ａと、前記螺子部２００に噛合する構造であるので、前記螺子棒１を回転すると、この回転で、この支持部２は、螺子棒１を固定軸Ａとして利用することで、この支持部２自身が、この固定軸Ａを基にして、軸方向Ｘに上下動する。そして、この支持部２の上方への移動で、後述する対の挾持アームに引抜き力を付与する。
【００４１】
この支持部２は中心に螺子部２００を有する本体２ａを有し、その左右側に左右腕片２ｂ、２ｃの端部２０１、２０２には、それぞれ二枚のガイド片３、３（対の構造では、最初に併記した後は、符号は単独とする）と、ガイド片４、４が設けられている。そして、このガイド片３間の隙間５と、ガイド片４間の隙間６とには、詳細は後述する対の挾持アーム８、８が挿入される。また、この端部２０１、２０２には、係止手段Ａを構成する一方の係止部１０が、また対の挾持アーム８の内側８００、８００には、係止手段Ａを構成する他方の係止部１１が、それぞれ設けられている。前述した、ガイド片３、３間の隙間５と、ガイド片４間の隙間６とに、対の挾持アーム８の内側８００が挿入されることと、この支持部２の端部２０１、２０２に設けた一方の係止部１０と、対の挾持アーム８の内側８００に設けた他方の係止部１１とが、噛合うことで、この対の挾持アーム８のブレ防止を図る。
【００４２】
続いて、支持部２と対の挾持アーム８とを連繋する対のリンク１３、１３との関係を説明すると、支持部２の略中心と挾持アーム８の略中心とを、それぞれ枢軸１５、１５と、１６、１６とを介して枢着する。従って、対のリング１３は、枢軸１５を介して可動（揺動）し、また、この対の挾持アーム８は、枢軸１６を介して、自身が可動するとともに、この対の挾持アーム８は、前記対のリンク１３の可動に、自身の可動とを介して、総合的な可動が図れ、かつ大小、及び／又は、各種のプーリー２０（引抜き物）に対応可能とする。
【００４３】
図中８０１、８０２は、挾持アーム８の上下端部８ａ、８ｂに設けた爪（係止爪）を示しており、この爪８０１、８０２を、プーリー２０の鍔片２０００の内面等に係止する。尚、爪８０１、８０２の双方に限定されず、何れか一方の場合もあり得る。
【００４４】
また、前記係止部１０と、係止部１１との関係の好ましい一例を説明すると、図３−１と図３−２に示した第一実施例では、支持部２の左右腕片２ｂ、２ｃの端部２０１、２０２に凹部１０００を、対の挾持アーム８の内側８００に凸部１１００を設けた構造であり、この凹部１０００と、凸部１１００との係止関係である。また、図４−１と図４−２に示した第二実施例では、支持部２の左右腕片２ｂ、２ｃの端部２０１、２０２に凹凸部１００１を、対の挾持アーム８の内側８００に凸凹部１１０１を設けた構造であり、この凹凸部１００１と、凸凹部１１０１との係止関係である。以上は、一例であり、図示しない、他の係止部１０と、係止部１１との関係も可能である。
【００４５】
続いて、図１に示した、このプーリー抜き工具が、プーリー２０から開放された状態において、対の挾持アーム８は、支持部２の枢軸１５に枢支されたリンク１３に支持されており、その本体部８０３がガイド片３、４の隙間５、６間に挿入されているとともに、その内面８００は、支持部２の左右腕片２ｂ、２ｃの端部２０１、２０２に、略接触した状態となっている。従って、挾持アーム８はぶれることなく、セットされている。また、安定した状態で、保持、又は持ち運びができる等の特徴がある。
【００４６】
そして、プーリー２０の引抜きをする場合には、下端８ｂの爪８０２をプーリー２０の鍔片２０００に欠けるとともに、押圧支持部１０２を、プーリー２０の杆部２００１に衝止する。この状態で、頭部１０１に係合した冶具（図示しない）を介して、螺子棒１を回転すると、この螺子棒１の螺子１ａに噛合する支持部２が上昇するとともに、この支持部１２に枢支した対のリンク１３が、順次、上昇する。この上昇は、対の挾持アーム８の上昇となり、その爪８０２に引抜き力が作用する構造である。この対の挾持アーム８が上昇する過程で、前述した係止部１０、１１の係合関係が確保されることから、ガイド片３、４による挾持と、相俟って、この対の挾持アーム８のブレ防止が図れる。また、確実、かつ迅速な、プーリー抜きが達成される。
【符号の説明】
【００４７】
１            螺子棒
１ａ          螺子
１ｂ          上方
１ｃ          下方
１００        螺子軸
１０１        頭部
１０２        押圧支持部
２            支持部
２ａ          本体
２ｂ          左腕片
２ｃ          右腕片
２００        螺子部
２０１        端部
２０２        端部
３            ガイド片
４            ガイド片
５            隙間
６            隙間
８            挾持アーム
８ａ          上端
８ｂ          下端
８００        内側
８０１        爪
８０２        爪
８０３        本体部
１０          係止部
１１          係止部
１３          リンク
１５          枢軸
１６          枢軸
２０          プーリー
Ａ            固定軸
Ｘ            軸方向
【図１】
0003160459.tif 000003
【図２】
0003160459.tif 000004
【図３−１】
0003160459.tif 000005
【図３−２】
0003160459.tif 000006
【図４−１】
0003160459.tif 000007
【図４−２】
0003160459.tif 000008